(57)【要約】【課題】本発明は、製造が容易である上、簡単な操作で確実に水切りをすることのできる、安価で使い勝手のよい水切りコップを提供することを目的とするものである。【解決手段】本発明の水切りコップは、コップ本体の一部に持ち手を備えたコップであって、持ち手に少なくとも１つの係止孔が形成されており、係止孔は、壁面等の立ち上がり面に固定された係止フックに係合したときに、コップ本体の開口部が斜め下向きになるように穿設されていることを特徴とするものである。【選択図】  図１
2004187794.tif 000002
【特許請求の範囲】
【請求項１】
コップ本体の一部に持ち手を備えたコップであって、持ち手に少なくとも１つの係止孔が形成されており、係止孔は、壁面等の立ち上がり面に固定された係止フックに係合したときに、コップ本体の開口部が斜め下向きになるように穿設されていることを特徴とする水切りコップ。
【請求項２】
係止孔が、係止フックに係合したときに、コップ本体を所定の姿勢位置に規定する規定面を有していることを特徴とする請求項１記載の水切りコップ。
【発明の詳細な説明】
【０００１】
【発明の属する技術分野】
本発明は、衛生的に水切りできるコップに関するものである。
【０００２】
【従来の技術】
従来、洗面所等で使用される持ち手を備えたコップは、使用後、開口部を上に向けた状態で洗面台の上に載置される。そのため、コップに付着した水滴がコップの内部に溜まり雑菌が繁殖しやすく、不衛生であるという不具合がある。しかし、開口部を下に向けてコップを洗面台の上に倒立させると、水がコップの内部に溜まりにくくなるものの、開口部が直接洗面台に接触するため、台の衛生状態によっては開口縁部に汚れが付着して、かえって不衛生になる恐れもある。
【０００３】
このような不具合に対して、コップの持ち手の下部と底部との間に、壁面フック等に係合可能な孔状部分を設けて、不使用時に、孔状部分を壁面フック等に係合させることにより、コップを斜め下向きに吊り下げて水切りを行うものが提案されている（例えば、特許文献１参照。）。
【０００４】
また、外周部分に突状部が設けられたコップ本体と、前記突状部が係合可能な係合溝が設けられたコップ保持部とを備え、不使用時に、前記突状部をコップ保持部の係合溝に係合させることにより、コップ本体を下向きに保持するものも提案されている（例えば、特許文献２参照。）。
【０００５】
【特許文献１】
実用新案登録第３０６３１６２号公報
【特許文献２】
特開２００１−２５４３３号公報
【０００６】
【発明が解決しようとする課題】
しかしながら、前者のコップは、壁面フック等に係合させる孔状部材が、持ち手の下部と底部との間に設けられているため、孔状部材が小さくなるとともに、持ち手が邪魔になって、孔状部材を壁面フック等に係止させにくいという不具合がある。また、孔状部材を大きくするには持ち手を小さくせざるを得ず、いずれにしても使用しにくい。さらに、孔状部材は、コップ本体に付設されているため、孔状部材を形成する材料が余分に必要となり、コストアップになるという不具合もある。
【０００７】
また、後者のコップは、コップ本体を壁面に保持させるための専用のコップ保持部を備えたものであるので、部品点数が多く、材料が余分に必要となり、コストアップになるという不具合がある。また、コップ本体をコップ保持部に掛ける際には、コップ保持部の係合溝にコップ本体の突状部を係合させる手間が必要であるため、非常に面倒である。また、コップ本体を垂直下向きに保持するため、コップ本体の底面の水切れに時間がかかるという不具合もある。さらに、コップ本体に突状部を設けたので、コップ本体の形状が複雑となり見た目が悪い上、突状部が邪魔になって使用しづらいという不具合もある。
【０００８】
本発明は、上記問題点に鑑みて提案されたものであって、製造が容易である上、簡単な操作で確実に水切りをすることのできる、安価で使い勝手のよい水切りコップを提供することを目的とするものである。
【０００９】
【課題を解決するための手段】
以上の目的を達成するために、本発明の水切りコップは、コップ本体の一部に持ち手を備えたコップであって、持ち手に少なくとも１つの係止孔が形成されており、係止孔は、壁面等の立ち上がり面に固定された係止フックに係止孔を係合したときに、コップ本体の開口部が斜め下向きになるように穿設されているものである。
また、係止孔は、係止フックに係合したときに、コップ本体を所定の姿勢位置に規定する規定面を有していてもよい。
【００１０】
【発明の実施の形態】
以下に、本発明にかかる実施形態を詳細に説明する。
【００１１】
本実施形態の水切りコップ１は、ポリプロピレン樹脂を射出成型したもので、図２に示すように、コップ本体２と、コップ本体２に一体に形成された持ち手３と、持ち手３の一部に形成された係止孔４とを備えている。
【００１２】
コップ本体２は、円板状の底部２１と底部２１の周縁部から立ち上がる側面部２２とを備え、上部に開口部２３を有している。
【００１３】
持ち手３は、所定幅の板状部材で形成された本体部３１と、本体部３１の一端部に延設される上方側連結部３２と、本体部３１の他端部に延設される下方側連結部３３とを備えている。上方側連結部３２は、コップ本体２の開口部２３近傍に、側面部２２に対してほぼ直角に連結されており、底部側連結部３３は、コップ本体２の底部２１側に、側面部２２に対してほぼ直角に連結されている。
【００１４】
係止孔４は、図２に示すように、持ち手３の上方側連結部３２の幅方向中央部に設けられている。
壁面取り付け用フックＦは、具体的には、壁面に固定するための吸盤を備えた固定部Ｆ２と、固定部Ｆ２に枢支されるフック部Ｆ１とを備えている。フック部Ｆ１の先端部Ｆ３は、内側面Ｆ１１が平面で、外側面Ｆ１２が内側面に連続する曲面に形成されている。
係止孔４は、フック部Ｆ１の先端部Ｆ３よりも一回り大きく形成されており、平面視直線状の規定面としての平面部４１が持ち手３の本体部３１側に形成され、平面視円弧状の曲面部４２がコップ本体２側に形成されている。
【００１５】
本実施形態の水切りコップ１を水切りする際には、図３に示すように、壁面に固定された壁面取り付け用フックＦの先端部Ｆ３に係止孔４を対向配置させて、先端部Ｆ３に係止孔４を係合させる。すると、図１に示すように、水切りコップ１は、壁面取り付け用フックＦの内側面４１に係止孔４の平面部４１が当接し、開口部２３が斜め下向きに配置された状態で、壁面取り付け用フックＦに係止される。
【００１６】
以上のように、本実施形態の水切りコップ１は、持ち手３の上方側連結部３２に係止孔４が穿設されているので、係止孔４を先端部Ｆ３に係合させるという簡単な操作をするだけで、水切りコップ１の開口部２３を斜め下向きに開口させた状態で、水切りコップ１を壁面取り付け用フックＦに係止させることができ、その結果、短時間で確実に水切りをすることができる。
【００１７】
また、水切りコップ１は、係止孔４を持ち手３の一部に穿設した単純な形状であるため、成形が容易で安価に提供できる上、丈夫で取り扱いやすい。
【００１８】
また、係止孔４は、先端部Ｆ３の内側面Ｆ１１に当接する平面部４１と、外側面Ｆ１２に当接する曲面部４２とを備えており、水切りコップ１を壁面取り付け用フックＦに係止させたときに、平面部４１が、水切りコップ１の左右方向への振れを阻止するため、水切りコップ１を壁面取り付け用フックＦに所定の水切り姿勢で確実に係止させることができる。
【００１９】
なお、係止孔４を設ける位置は、持ち手３の上方側連結部３２に限られず、持ち手３のいずれの位置に設けても構わない。また、係止孔４の形状は、上記の形状に限られず、先端部Ｆ３に係合可能な形状であればよい。例えば、図４に示す水切りコップ１ｂのように、持ち手３ｂの本体部３１ｂに丸孔状の係止孔４ｂを設けてもよい。
【００２０】
また、係止孔４の個数は、一個に限られず複数個でもよく、その場合は、径の異なる係止孔を設けることが好ましい。このようにすれば、先端部の形状や大きさが異なるフックにも取り付けることができるので、汎用性に富む。
【００２１】
また、水切りコップ１は、ポリプロピレン樹脂製に限られず、熱可塑性の他の合成樹脂で形成してもよいし、金属やガラスなどで形成してもよい。
【００２２】
【発明の効果】
本発明の水切りコップは、コップ本体の一部に持ち手を備えたコップであって、持ち手に少なくとも１つの係止孔が形成されており、係止孔が、壁面等の立ち上がり面に固定される係止フックに係合したときに、コップ本体の開口部が斜め下向きになるように穿設されているので、短時間で確実に水切りをすることができる。
【００２３】
また、請求項２記載の水切りコップは、係止孔が、係止フックに係合したときに、コップ本体を所定の姿勢位置に規定する規定面を有しているので、コップ本体の姿勢位置が一定になるので、狭い場所にも多くのコップを並べることができる。
【図面の簡単な説明】
【図１】本発明に係る１実施形態の水切りコップを壁面取り付け用フックに係止させた状態を示す斜視図。
【図２】図１に示す水切りコップの斜視図。
【図３】図１に示す水切りコップと壁面取り付け用フックとの係合部分を拡大して示す説明図。
【図４】本発明に係る他の実施形態の水切りコップの斜視図。
【符号の説明】
１，１ｂ    水切りコップ
２          コップ本体
２３        開口部
３，３ｂ    持ち手
４，４ｂ    係止孔
４１        平面部（規定面）
Ｆ          壁面取り付け用フック（係止フック）
【図１】
2004187794.tif 000003
【図２】
2004187794.tif 000004
【図３】
2004187794.tif 000005
【図４】
2004187794.tif 000006